(57)【要約】【課題】どこが移動体通信網の圏外であるかを把握すること。【解決手段】通信エリア推定サーバ２０は、移動体通信網Ｎの圏外に位置する携帯電話機１０が記憶している、無線信号源からの信号に関する一又は複数の信号情報を、携帯電話機１０が移動体通信網Ｎの圏内に移動した時にその携帯電話機１０から受信する受信部２１と、受信された一又は複数の信号情報に基づいて、携帯電話機１０が信号情報に対応する信号を受信した時の携帯電話機１０の位置を算出する算出部２３と、算出された携帯電話機１０の位置に基づいて、移動体通信網Ｎの圏外である位置を推定する推定部２４と、を備える。【選択図】図１
2010130523.tif 000002
【特許請求の範囲】
【請求項１】
移動体通信網の圏外に位置する移動機が記憶している、無線信号源からの信号に関する一又は複数の信号情報を、該移動機が該移動体通信網の圏内に移動した時に該移動機から受信する受信手段と、
前記受信手段により受信された一又は複数の信号情報に基づいて、前記移動機が該信号情報に対応する信号を受信した時の該移動機の位置を算出する算出手段と、
前記算出手段により算出された前記移動機の位置に基づいて、前記移動体通信網の圏外である位置を推定する推定手段と、
を備える通信エリア推定サーバ。
【請求項２】
前記信号情報が、前記移動機が前記移動体通信網の圏外に位置する時に受信した信号に関する情報であり、
前記算出手段が、前記一又は複数の信号情報のそれぞれについて、対応する無線信号源の位置を取得し、該一又は複数の位置の平均を前記移動機の位置として算出し、
前記推定手段が、前記算出手段により算出された前記移動機の位置を中心とし所定値を半径とする円内が前記移動体通信網の圏外であると推定する、
請求項１に記載の通信エリア推定サーバ。
【請求項３】
前記算出手段が、前記一又は複数の無線信号源の位置の相加平均を前記移動機の位置として算出する、
請求項２に記載の通信エリア推定サーバ。
【請求項４】
前記信号情報が受信強度を含み、
前記算出手段が、前記一又は複数の無線信号源の位置を前記受信強度で重み付けした重み付け平均を前記移動機の位置として算出する、
請求項２に記載の通信エリア推定サーバ。
【請求項５】
前記信号情報が、前記移動機が前記移動体通信網の圏外に移動する直前に受信した信号に関する情報であり、
前記算出手段が、所定のデータベースに記憶されている、信号情報と位置座標とが関連付けられた測位用データと前記一又は複数の信号情報とを照合して、該一又は複数の信号情報と対応する位置座標を前記移動機の位置として算出し、
前記推定手段が、前記算出手段により算出された前記移動機の位置が前記移動体通信網の圏外エリアの境界であると推定する、
請求項１〜４のいずれか一項に記載の通信エリア推定サーバ。
【請求項６】
前記無線信号源が、前記移動体通信網の基地局と、該基地局とは異なる他の無線信号源とを含む、
請求項１〜５のいずれか一項に記載の通信エリア推定サーバ。
【請求項７】
移動機と通信エリア推定サーバとを備える通信エリア推定システムであって、
前記移動機が、
移動体通信網の圏外に位置する時に記憶している、無線信号源からの信号に関する一又は複数の信号情報を、該移動体通信網の圏内に移動した時に前記通信エリア推定サーバに送信する送信手段
を備え、
前記通信エリア推定サーバが、
前記送信手段により送信された一又は複数の信号情報を受信する受信手段と、
前記受信手段により受信された一又は複数の信号情報に基づいて、前記移動機が該信号情報に対応する信号を受信した時の該移動機の位置を算出する算出手段と、
前記算出手段により算出された前記移動機の位置に基づいて、前記移動体通信網の圏外である位置を推定する推定手段と、
を備える、
通信エリア推定システム。
【請求項８】
通信エリア推定サーバにより実行される通信エリア推定方法であって、
移動体通信網の圏外に位置する移動機が記憶している、無線信号源からの信号に関する一又は複数の信号情報を、該移動機が該移動体通信網の圏内に移動した時に該移動機から受信する受信ステップと、
前記受信ステップにおいて受信された一又は複数の信号情報に基づいて、前記移動機が該信号情報に対応する信号を受信した時の該移動機の位置を算出する算出ステップと、
前記算出ステップにおいて算出された前記移動機の位置に基づいて、前記移動体通信網の圏外である位置を推定する推定ステップと、
を含む通信エリア推定方法。
【発明の詳細な説明】
【技術分野】
【０００１】
本発明は、移動体通信網の圏外の位置を推定する通信エリア推定サーバ、通信エリア推定システム及び通信エリア推定方法に関する。
【背景技術】
【０００２】
従来から、移動機の位置を測定する手法が知られている。測位法としては、複数のＧＰＳ（GlobalPositioning System、全地球測位システム）衛星からの信号のみを用いて測位する手法、ＧＰＳ衛星からの信号と移動体通信網の基地局からの信号とを用いて測位する手法（ハイブリッド測位）、及び基地局からの信号のみを用いて測位する手法などが挙げられる。例えば、下記特許文献１には、いわゆるハイブリッド測位を実現する無線位置測定方法が記載されている。この方法は、ＧＰＳ信号を捕らえるために必要なＧＰＳ情報又はセルラ信号を捕らえるために必要なセルラ情報を使って、ＧＰＳ信号又はセルラ信号の受信タイミングの測定を行い、測定された受信タイミングと端末内に保持したセルラ基地局の情報とから端末の位置を求めるものである。
【特許文献１】特開２００５−２０２１６号公報
【発明の開示】
【発明が解決しようとする課題】
【０００３】
都心のビルの陰や屋内などの、ＧＰＳ衛星からの信号も基地局からの信号も受信できない場所では、上記特許文献１に記載の方法などを用いても移動機の位置を測定することはできない。移動体通信サービスの提供者としては、自己の基地局を管理することで（例えば新規基地局の設置や既存局の設定変更など）、測位可能なエリアを拡大することが望ましいが、そのためには、どこが移動体通信網の圏外であるかを知る必要がある。
【０００４】
本発明は、上記課題を解決するためになされたものであり、どこが移動体通信網の圏外であるかを把握することが可能な通信エリア推定サーバ、通信エリア推定システム及び通信エリア推定方法を提供することを目的とする。
【課題を解決するための手段】
【０００５】
本発明の通信エリア推定サーバは、移動体通信網の圏外に位置する移動機が記憶している、無線信号源からの信号に関する一又は複数の信号情報を、該移動機が該移動体通信網の圏内に移動した時に該移動機から受信する受信手段と、受信手段により受信された一又は複数の信号情報に基づいて、移動機が該信号情報に対応する信号を受信した時の該移動機の位置を算出する算出手段と、算出手段により算出された移動機の位置に基づいて、移動体通信網の圏外である位置を推定する推定手段と、を備える。
【０００６】
また、本発明の通信エリア推定システムは、移動機と通信エリア推定サーバとを備える通信エリア推定システムであって、移動機が、移動体通信網の圏外に位置する時に記憶している、無線信号源からの信号に関する一又は複数の信号情報を、該移動体通信網の圏内に移動した時に通信エリア推定サーバに送信する送信手段を備え、通信エリア推定サーバが、送信手段により送信された一又は複数の信号情報を受信する受信手段と、受信手段により受信された一又は複数の信号情報に基づいて、移動機が該信号情報に対応する信号を受信した時の該移動機の位置を算出する算出手段と、算出手段により算出された移動機の位置に基づいて、移動体通信網の圏外である位置を推定する推定手段と、を備える。
【０００７】
また、本発明の通信エリア推定方法は、通信エリア推定サーバにより実行される通信エリア推定方法であって、移動体通信網の圏外に位置する移動機が記憶している、無線信号源からの信号に関する一又は複数の信号情報を、該移動機が該移動体通信網の圏内に移動した時に該移動機から受信する受信ステップと、受信ステップにおいて受信された一又は複数の信号情報に基づいて、移動機が該信号情報に対応する信号を受信した時の該移動機の位置を算出する算出ステップと、算出ステップにおいて算出された移動機の位置に基づいて、移動体通信網の圏外である位置を推定する推定ステップと、を含む。
【０００８】
このような通信エリア推定サーバ、通信エリア推定システム及び通信エリア推定方法によれば、移動機が移動体通信網の圏外から圏内に移動すると、その移動機が移動体通信網の圏外に位置していた時に記憶していた信号情報が通信エリア推定サーバにより受信される。そして、その信号情報に対応する信号を受信した時の移動機の位置が算出され、算出された移動機の位置に基づいて、どこが移動体通信網の圏外であるかが推定される。このように、移動機が移動体通信網の圏外に位置していた時の信号情報を利用することで、どこが移動体通信網の圏外であるかを把握することが可能になる。
【０００９】
本発明の通信エリア推定サーバでは、信号情報が、移動機が移動体通信網の圏外に位置する時に受信した信号に関する情報であり、算出手段が、一又は複数の信号情報のそれぞれについて、対応する無線信号源の位置を取得し、該一又は複数の位置の平均を移動機の位置として算出し、推定手段が、算出手段により算出された移動機の位置を中心とし所定値を半径とする円内が移動体通信網の圏外であると推定することが好ましい。
【００１０】
この場合、まず、移動機が移動体通信網の圏外に位置する時に受信した信号に対応する信号情報から無線信号源の位置が算出され、次に無線信号源の位置の平均が移動機の位置として算出される。そして、移動機の位置を中心とする円内が移動体通信網の圏外であると推定される。このように、移動機が移動体通信網の圏外に位置する時にはその位置を中心とする所定範囲を圏外エリアと推定することで、より精度の高い推定を実行することができる。
【００１１】
本発明の通信エリア推定サーバでは、算出手段が、一又は複数の無線信号源の位置の相加平均を移動機の位置として算出することが好ましい。
【００１２】
この場合、相加平均を用いて移動機の位置を算出するので、算出処理が簡易である。
【００１３】
本発明の通信エリア推定サーバでは、信号情報が受信強度を含み、算出手段が、一又は複数の無線信号源の位置を受信強度で重み付けした重み付け平均を移動機の位置として算出することが好ましい。
【００１４】
この場合、受信強度による重み付け平均を用いて移動機の位置を算出するので、移動機の位置をより高精度で算出でき、その結果、圏外エリアの推定の精度を向上させることができる。
【００１５】
本発明の通信エリア推定サーバでは、信号情報が、移動機が移動体通信網の圏外に移動する直前に受信した信号に関する情報であり、算出手段が、所定のデータベースに記憶されている、信号情報と位置座標とが関連付けられた測位用データと一又は複数の信号情報とを照合して、該一又は複数の信号情報と対応する位置座標を移動機の位置として算出し、推定手段が、算出手段により算出された移動機の位置が移動体通信網の圏外エリアの境界であると推定することが好ましい。
【００１６】
この場合、移動機が移動体通信網の圏外に移動する直前に受信した信号の信号情報と、測位用データとを照合することで移動機の位置が算出され、算出された位置が圏外エリアの境界であると推定される。このように、移動機が圏内から圏外に移動する時点で受信した信号の信号情報を用いることで、移動体通信網がカバーするエリアの境界を推定することが可能になる。
【００１７】
本発明の通信エリア推定サーバでは、無線信号源が、移動体通信網の基地局と、該基地局とは異なる他の無線信号源とを含むことが好ましい。
【００１８】
この場合、移動機は、移動体通信網の基地局からの信号だけでなく、それ以外の無線信号源からの信号も受信できるので、移動機の位置の算出及び圏外エリアの推定に利用できる信号情報の個数及び種類が増える。その結果、圏外エリアの推定の精度を向上させることができる。
【発明の効果】
【００１９】
このような通信エリア推定サーバ、通信エリア推定システム及び通信エリア推定方法によれば、移動機が移動体通信網の圏外に位置していた時の信号情報を用いて移動機の位置を算出し、算出された位置から移動体通信網の圏外である位置が推定されるので、どこが移動体通信網の圏外であるかを把握することができる。
【発明を実施するための最良の形態】
【００２０】
以下、添付図面を参照しながら本発明の実施形態を詳細に説明する。なお、図面の説明において同一又は同等の要素には同一の符号を付し、重複する説明を省略する。
【００２１】
まず、図１〜３を用いて、実施形態に係る通信エリア推定システムの構成を説明する。図１は通信エリア推定システム１の全体構成を示す図である。図２は図１に示す携帯電話機１０のハードウェア構成を示す図である。図３は図１に示す通信エリア推定サーバ２０のハードウェア構成を示す図である。
【００２２】
通信エリア推定システム１は、移動体通信網Ｎのどこが圏外であるかを推定するコンピュータシステムである。この通信エリア推定システム１は、携帯電話機１０と、通信エリア推定サーバ２０とを備えている。
【００２３】
携帯電話機１０は、移動体通信網Ｎを構成する基地局Ｂとの間で信号（電波）を送受信することで呼接続やデータ通信などを実行する移動機である。この携帯電話機１０は、基地局Ｂとは異なる他の無線信号源（言い換えれば、移動体通信網Ｎの外に存在する他の無線信号源）Ｓからの信号を受信することも可能である。ここで、他の無線信号源Ｓとしては、例えば、移動体通信網Ｎと同様の規格で実現された他の通信事業者の移動体通信網の基地局や、地上デジタル放送の放送波を発信するアンテナ、無線ＬＡＮの基地局などがあるが、これらに限定されるものではない。なお、移動体通信網Ｎの基地局Ｂも無線信号源の一種である。
【００２４】
なお、図１では、説明を簡単にするために携帯電話機１０、基地局Ｂ及び他の無線信号源Ｓをそれぞれ一つずつ示したが、これらは複数存在してもよい。
【００２５】
携帯電話機１０は、機能的構成要素として測定部１１、記憶部１２及び送信部（送信手段）１３を備えている。
【００２６】
この携帯電話機１０は、図２に示すように、オペレーティングシステムやアプリケーションプログラムなどを実行するＣＰＵ１０１と、ＲＯＭ及びＲＡＭで構成される主記憶部１０２と、メモリなどで構成される補助記憶部１０３と、移動体通信網Ｎを介してデータ通信を行う通信制御部１０４と、液晶モニタなどで構成される表示部１０５と、入力キーなどで構成される操作部１０６とで構成される。図１に示す各機能は、ＣＰＵ１０１及び主記憶部１０２の上に所定のソフトウェアを読み込ませ、ＣＰＵ１０１の制御の下で通信制御部１０４を動作させたり、主記憶部１０２や補助記憶部１０３に対してデータを読み書きしたりすることで実現される。
【００２７】
測定部１１は、無線信号源から受信した信号を測定及び解析する部分である。測定部１１は基地局Ｂ又は他の無線信号源Ｓから受信した信号の受信強度を測定するとともに、無線信号源を識別する信号源ＩＤをその受信信号から抽出する。また、測定部１１は測定時刻や往復遅延時間（Round Trip Time（ＲＴＴ））を計測する。
【００２８】
更に、測定部１１は携帯電話機１０が移動体通信網Ｎの圏外に位置しているか否かを判定し、圏外であればその状態をモードＮＯで識別する。具体的には、基地局Ｂから受信した信号の受信強度が通信可能な強度に達していない場合には、測定部１１は携帯電話機１０が圏外モード１（モードＮＯ＝１）の状況にあると判定する。また、基地局Ｂから信号を全く受信できない場合には、測定部１１は携帯電話機１０が圏外モード２（モードＮＯ＝２）の状況であると判定する。このように、携帯電話機１０が圏外に位置しているということは、携帯電話機１０が基地局Ｂから受信した信号の受信強度が通信可能な強度に達していないか、又は携帯電話機１０が基地局Ｂからの信号を全く受信できないために、携帯電話機１０が移動体通信網Ｎを介して通信することができない状態を意味する。
【００２９】
圏外モード１の場合には、測定部１１は、携帯電話機１０が圏外に位置しているときに無線信号源から受信した信号について、モードＮＯ「１」、信号源ＩＤ、受信強度、ＲＴＴ及び測定時刻を関連付けることで信号情報を生成する。一方、圏外モード２の場合には、測定部１１は、携帯電話機１０が圏内に位置していたときに最後に受信した信号（圏外に移動する直前に受信した信号）について、モードＮＯ「２」、信号源ＩＤ、受信強度、ＲＴＴ及び測定時刻を関連付けることで信号情報を生成する。
【００３０】
測定部１１は生成した信号情報を記憶部１２に出力する。携帯電話機１０は同時刻に一又は複数の無線信号源から信号を受信することが可能なので、測定部１１は測定時刻が同じ一又は複数の信号情報を記憶部１２に出力する。
【００３１】
記憶部１２は、無線信号源からの信号に関する信号情報を記憶する部分である。記憶部１２は、測定部１１から随時入力される信号情報を蓄積する。上述したように、記憶部１２が記憶する信号情報は、携帯電話機１０が移動体通信網Ｎの圏外に位置しているときに生成されたものである。
【００３２】
送信部１３は、移動体通信網Ｎの圏外に位置する時に記憶している、無線信号源からの信号に関する信号情報を、移動体通信網Ｎの圏内に移動した時に通信エリア推定サーバ２０に送信する部分である。送信部１３は、携帯電話機１０が移動体通信網Ｎの圏内に入ったことを検知すると、記憶部１２に記憶されている信号情報を読み出して通信エリア推定サーバ２０に送信する。
【００３３】
次に通信エリア推定サーバ２０について説明する。通信エリア推定サーバ２０は、機能的構成要素として受信部（受信手段）２１、記憶部２２、算出部（算出手段）２３及び推定部（推定手段）２４を備えている。
【００３４】
通信エリア推定サーバ２０は、図３に示すように、オペレーティングシステムやアプリケーションプログラムなどを実行するＣＰＵ２０１と、ＲＯＭ及びＲＡＭで構成される主記憶部２０２と、ハードディスクなどで構成される補助記憶部２０３と、ネットワークカードなどの通信制御部２０４と、キーボードやマウスなどの入力部２０５と、モニタやプリンタなどの出力部２０６とで構成される。通信エリア推定サーバ２０の各機能は、ＣＰＵ２０１や主記憶部２０２の上に所定のソフトウェアを読み込ませ、ＣＰＵ２０１の制御の下で通信制御部２０４を動作させ、主記憶部２０２や補助記憶部２０３におけるデータの読み出し及び書き込みを行うことで実現される。
【００３５】
受信部２１は、携帯電話機１０の送信部１３により送信された信号情報を受信する部分である。受信部２１は受信した一又は複数の信号情報を記憶部２２に出力する。
【００３６】
記憶部２２は、受信部２１から入力された信号情報を記憶する部分である。記憶部２２は、受信部２１から随時入力される信号情報を蓄積する。
【００３７】
算出部２３は、受信部２１により受信された信号情報に基づいて、携帯電話機１０がその信号情報に対応する信号を受信した時の携帯電話機１０の位置を算出する部分である。算出部２３は、携帯電話機１０の位置を算出するために複数の手法を用いることが可能である。
【００３８】
圏外モード１の信号情報から算出する場合には、算出部２３はまず、携帯電話機１０が同時刻に受信した一又は複数の信号情報を記憶部２２から読み出して、一又は複数の信号源ＩＤを取得する。続いて、算出部２３は各信号源ＩＤに対応する無線信号源の位置座標（ｘｎ，ｙｎ）を読み出す。このために、算出部２３は、信号源ＩＤと位置座標とが関連付けられたデータを記憶するデータベース（図示せず）にアクセスする。なお、このデータベースは、通信エリア推定サーバ２０に搭載されていてもよいし、別の装置に搭載されていてもよい。
【００３９】
続いて、算出部２３は位置座標の相加平均又は重み付け平均を算出することで、携帯電話機１０の位置（Ｘ，Ｙ）を算出する。相加平均を用いる場合には、算出部２３は下記式（１）を用いる。
【数１】
2010130523.tif 000003
ここで、Ｎは無線信号源の数である。
【００４０】
一方、重み付け平均（受信強度により重み付けをする手法）を用いる場合には、算出部２３は下記式（２）を用いる。
【数２】
2010130523.tif 000004
ここで、Ｎは無線信号源の数であり、Ｌｎは受信強度である。
【００４１】
圏外モード２の信号情報から携帯電話機１０の位置を算出する場合には、算出部２３はまず、携帯電話機１０が同時刻に受信した一又は複数の信号情報を記憶部２２から読み出す。続いて、算出部２３は、携帯電話機１０の測位に用いられる測位用データベース（図示せず）を用いて携帯電話機１０の位置を特定する。測位用データベースは、無線信号源を識別する信号源ＩＤと、受信強度と、位置座標とが関連付けられた測位用データを記憶する。複数の無線信号源に関する情報（信号源ＩＤ及び受信強度）に対して一つの位置座標が関連付けられた測位用データもあれば、一つの無線信号源に関するに対して一つの位置座標が関連付けられている測位用データもありうる。なお、測位用データベースは、通信エリア推定サーバ２０に搭載されていてもよいし、別の装置に搭載されていてもよい。
【００４２】
算出部２３は、記憶部２２から読み出した一又は複数の信号情報と、測位用データベースに記憶されている測位用データとを照合する。そして、算出部２３は、読み出した信号情報と対応する測位用データに含まれる位置座標を携帯電話機１０の位置（Ｘ，Ｙ）として算出する。
【００４３】
算出部２３は上記の手法により算出された携帯電話機１０の位置座標を推定部２４に出力する。なお、算出部２３が用いる算出手法は上記のものに限定されない。例えば、算出部２３は受信強度が最大の信号源についての信号情報を用いて、その受信強度やセクタＩＤなどから大よその端末距離及び端末方向を算出してもよい。この場合には、算出部２３は事前に所定の伝搬モデルを記憶し、そのモデルを用いて携帯電話機１０の位置を算出する。
【００４４】
推定部２４は、算出部２３により算出された携帯電話機１０の位置に基づいて、移動体通信網Ｎの圏外である位置を推定する部分である。推定部２４は、推定結果を所定のデータベース（図示せず）に記憶する。もっとも、推定部２４は、推定結果をディスプレイやプリンタに出力してもよい。
【００４５】
算出部２３から入力された位置座標（Ｘ，Ｙ）が圏外モード１の信号情報から算出されたものである場合には、推定部２４は、その位置座標（Ｘ，Ｙ）を中心とする半径Ｒの円内が移動体通信網Ｎの圏外であると推定する。なお、推定部２４は、この処理のために値Ｒを予め記憶している。そして、推定部２４は、圏外エリアを識別するエリアＩＤと、そのエリアの中心座標（Ｘ，Ｙ）と、その座標に対応する測定時刻と、その座標の算出に使用した信号情報とを関連付け、推定結果として記憶する。
【００４６】
算出部２３から入力された位置座標（Ｘ，Ｙ）が圏外モード２の信号情報から算出されたものである場合には、推定部２４は、その位置座標（Ｘ，Ｙ）が圏外エリアの境界であると推定する。そして、推定部２４は、境界を識別する境界ＩＤと、位置座標（Ｘ，Ｙ）と、その座標に対応する測定時刻と、その座標の算出に使用した信号情報とを関連付け、推定結果として記憶する。このような処理に加えて、算出部２３は、境界として推定された複数の位置座標（Ｘ，Ｙ）の平均値を圏外エリアの中心座標として算出及び記憶してもよいし、境界と推定された複数の位置座標（Ｘ，Ｙ）をつなぐ線を圏外エリアの境界線として算出及び記憶してもよい。
【００４７】
次に、図４〜５を用いて、図１に示す通信エリア推定システム１の動作を説明するとともに本実施形態に係る通信エリア推定方法について説明する。図４は携帯電話機１０の動作を示すフローチャートである。図５は通信エリア推定サーバ２０の動作を示すフローチャートである。
【００４８】
まず、図４を用いて携帯電話機１０の動作を説明する。まず測定部１１が、携帯電話機１０が圏外に位置していると判定した場合に（ステップＳ１１；ＹＥＳ）、信号情報を生成する。具体的には、無線信号源からの信号を受信できた場合には（ステップＳ１２；ＹＥＳ）、測定部１１はその受信信号を解析することで圏外モード１の信号情報を生成し、記憶部１２に記憶させる（ステップＳ１３）。これに対して、無線信号源から信号を受信できない場合には（ステップＳ１２；ＮＯ）、測定部１１は携帯電話機１０が圏内にいたときに最後に受信した信号（直前に受信した信号）を解析することで圏外モード２の信号情報を生成し、記憶部１２に記憶させる（ステップＳ１４）。
【００４９】
その後、携帯電話機１０が移動体通信網Ｎの圏内に移動すると（ステップＳ１５；ＹＥＳ）、送信部１３が記憶部１２に記憶されている信号情報を通信エリア推定サーバ２０に送信する（ステップＳ１６）。
【００５０】
次に、図５を用いて通信エリア推定サーバ２０の動作を説明する。まず、受信部２１が携帯電話機１０からの信号情報を受信し、記憶部２２に記憶させる（ステップＳ２１、受信ステップ）。その後の算出及び推定処理は、信号情報の種類に依存する。
【００５１】
圏外モード１の信号情報を用いて処理する場合には（ステップＳ２２；圏外モード１）、算出部２３が無線信号源の位置座標の相加平均又は重み付け平均で得られた値を携帯電話機１０の位置座標をとして算出する（ステップＳ２３、算出ステップ）。続いて、推定部２４が携帯電話機１０の位置座標を中心とする半径Ｒの円内が移動体通信網Ｎの圏外であると推定する（ステップＳ２４、推定ステップ）。
【００５２】
これに対して、圏外モード２の信号情報を用いて処理する場合には（ステップＳ２２；圏外モード２）、算出部２３が、信号情報と対応する測位用データの位置座標を携帯電話機１０の位置座標として算出する（ステップＳ２５、算出ステップ）。続いて、推定部２４が、携帯電話機１０の位置が移動体通信網Ｎの圏外エリアの境界であると推定する（ステップＳ２６、推定ステップ）。
【００５３】
以上説明したように、本実施形態によれば、携帯電話機１０が移動体通信網Ｎの圏外から圏内に移動すると、その携帯電話機１０が移動体通信網Ｎの圏外に位置していた時に記憶していた信号情報が通信エリア推定サーバ２０により受信される。そして、その信号情報に対応する信号を受信した時の携帯電話機１０の位置が算出され、算出された位置に基づいて、どこが移動体通信網Ｎの圏外であるかが推定される。このように、携帯電話機１０が移動体通信網Ｎの圏外に位置していた時の信号情報を利用することで、どこが移動体通信網Ｎの圏外であるかを把握することが可能になる。
【００５４】
具体的には、携帯電話機１０が移動体通信網Ｎの圏外に位置する時に受信した信号に対応する信号情報から無線信号源の位置が算出され、次に無線信号源の位置の平均が携帯電話機１０の位置として算出される。そして、携帯電話機１０の位置を中心とする円内が移動体通信網Ｎの圏外であると推定される。このように、携帯電話機１０が移動体通信網Ｎの圏外に位置する時にはその位置を中心とする所定範囲を圏外エリアと推定することで、より精度の高い推定を実行することができる。
【００５５】
このとき、相加平均を用いて携帯電話機１０の位置を算出すれば、算出処理が簡易である。また、受信強度による重み付け平均を用いて携帯電話機１０の位置を算出すれば、携帯電話機１０の位置をより高精度で算出でき、その結果、圏外エリアの推定の精度を向上させることができる。
【００５６】
また、本実施形態によれば、携帯電話機１０が移動体通信網Ｎの圏外に移動する直前に受信した信号の信号情報と、測位用データとを照合することで携帯電話機１０の位置が算出され、算出された位置が圏外エリアの境界であると推定される。このように、携帯電話機１０が圏内から圏外に移動する時点で受信した信号の信号情報を用いることで、移動体通信網Ｎがカバーするエリアの境界を推定することが可能になる。
【００５７】
また、本実施形態によれば、携帯電話機１０は、移動体通信網Ｎの基地局Ｂからの信号だけでなく、他の無線信号源Ｓからの信号も受信できるので、携帯電話機１０の位置の算出及び圏外エリアの推定に利用できる信号情報の個数及び種類が増える。その結果、圏外エリアの推定の精度を向上させることができる。
【００５８】
以上、本発明をその実施形態に基づいて詳細に説明した。しかし、本発明は上記実施形態に限定されるものではない。本発明は、その要旨を逸脱しない範囲で以下のような様々な変形が可能である。
【００５９】
上記実施形態では、携帯電話機１０が移動体通信網Ｎの圏外に移動する直前に受信した信号の信号情報を用いて圏外エリアの境界を推定したが、境界の推定に用いる信号はこれに限定されない。具体的には、携帯電話機１０が移動体通信網Ｎの圏外から圏内に移動した直後に受信した信号の信号情報を用いて圏外エリアの境界を推定してもよい。
【００６０】
上記実施形態では、通信エリア推定サーバ２０が圏外モード１の信号情報と圏外モード２の信号情報の双方を利用したが、通信エリア推定サーバ２０はどちらか一方の信号情報のみを用いて移動体通信網の圏外の位置を推定してもよい。
【００６１】
上記各実施形態では、移動機として携帯電話機を例示したが、携帯情報端末（PersonalDigital Assistant（ＰＤＡ））などの他の移動機を用いてもよい。
【図面の簡単な説明】
【００６２】
【図１】実施形態に係る通信エリア推定システムの全体構成を示す図である。
【図２】図１に示す携帯電話機のハードウェア構成を示す図である。
【図３】図１に示す通信エリア推定サーバのハードウェア構成を示す図である。
【図４】図１に示す携帯電話機の動作を示すフローチャートである。
【図５】図１に示す通信エリア推定サーバの動作を示すフローチャートである。
【符号の説明】
【００６３】
１…通信エリア推定システム、１０…携帯電話機（移動機）、１１…測定部、１２…記憶部、１３…送信部（送信手段）、２０…通信エリア推定サーバ、２１…受信部（受信手段）、２２…記憶部、２３…算出部（算出手段）、２４…推定部（推定手段）、Ｂ…基地局、Ｎ…移動体通信網、Ｓ…他の無線信号源。
【図１】
2010130523.tif 000005
【図２】
2010130523.tif 000006
【図３】
2010130523.tif 000007
【図４】
2010130523.tif 000008
【図５】
2010130523.tif 000009